(57)【要約】【課題】    スキージの取付け及び取外しが所謂ワンタッチで行えるスキージホルダーを提供すること。【解決手段】    スキージホルダーが、スキージヘッド部に設けたスキージ受部材２０と該スキージ受部材２０に着脱自在なスキージ保持部材３０とからなる。スキージ受部材２０はスキージの長さ方向に延びるホルダプレート２１とホルダプレート２１に設けた上向谷部２２を有し、スキージ保持部材３０はスキージを挟着しホルダプレート２１の上向谷部２２に係合する下向突部２４を有する。スキージ保持部材３０の下向突部３４をスキージ受部材２０の上向谷部２２に係合し流体シリンダ２４を作動して圧着する。【選択図】    図３
2005153444.tif 000002
【特許請求の範囲】
【請求項１】
スキージホルダーが、スキージヘッド部（１）に設けたスキージ受部材（２０）と該スキージ受部材に着脱自在なスキージ保持部材（３０）とからなり、上記スキージ受部材がスキージの長さ方向に延びるホルダプレート（２１）と該ホルダプレートに設けた谷部（２２）を有し、上記スキージ保持部材がスキージを挟着し上記ホルダプレートの谷部に係合する突部（２４）を有し、上記スキージ保持部材の突部を上記スキージ受部材の谷部に係合したとき両者を圧着する圧着機構（２４）を設けたことを特徴とするスクリーン印刷機におけるスキージホルダー。
【請求項２】
スキージ保持部材（３０）とスキージ保持部材の圧着機構（２４）が流体シリンダであり、該流体シリンダはホルダプレート（２１）に沿って複数設けられていることを特徴とする請求項１に記載のスクリーン印刷機におけるスキージホルダー。
【発明の詳細な説明】
【技術分野】
【０００１】
本発明は、スクリーン印刷機におけるスキージホルダーに関するものであり、さらに詳しくは、スキージの取付け取外しが容易なスキージホルダーに関している。
【背景技術】
【０００２】
スキージを印刷機に取り付けるための装置は各種のものが開発されており、一例として下記文献の発明がある。
【特許文献１】特開２００３−１７０５６７号公開特許公報
【０００３】
特許文献１に記載の発明は、スキージ９に一対の脱着ボルト２４を設けると共に、スキージ機構の取付けホルダ１２に脱着ボルト２４を案内する一対のＬ字型切欠き３２を有する板状の取付け部３０を設ける。また、該取付け部３０の各切欠き３２の奥端部近傍に剛球４２を弾性的に出没可能に有するボールプランジャ４０を設ける。そして取付部３０の切欠き３２に沿って脱着ボルト２４を案合しながらその奥端部３２ｂまでスキージ９を移動させ、その後、脱着ボルト２４を締結してスキージ９を取付け部３０に固定するものである。
【０００４】
特許文献１の装置は、脱着時の作業が簡単になっているので、それまでの従来装置と比べれば取扱は容易であるが、スキージの長さが５００〜１０００ｍｍを越えるものになると重量もあり、一人で脱着作業を行うことが困難であるといった問題を有している。
【発明の開示】
【発明が解決しようとする課題】
【０００５】
本発明は、従来技術の問題点を解決するために開発されたものであって、スキージの取付け及び取外しが、所謂ワンタッチでかつ安全に行えるスキージホルダーを提供することを課題としている。
【課題を解決するための手段】
【０００６】
解決手段は、スキージホルダーが、スキージヘッド部に設けたスキージ受部材と該スキージ受部材に着脱自在なスキージ保持部材とからなり、上記スキージ受部材がスキージの長さ方向に延びるホルダプレートと該ホルダプレートに設けた谷部を有し、上記スキージ保持部材がスキージを挟着し上記ホルダプレートの谷部に係合する突部を有し、上記スキージ保持部材の突部を上記スキージ受部材の谷部に係合したとき両者を圧着する圧着機構を設けたことを特徴とするものである。
また、スキージ保持部材とスキージ保持部材の圧着機構が流体シリンダであり、該流体シリンダはホルダプレートに沿って複数設けられていることを特徴とする。
【発明の効果】
【０００７】
本発明は、スキージ受部材の上向谷部へスキージ保持部材の下向突部を嵌合させるだけでスキージの吊り下げが可能となり、しかも高さ方向の位置並びに幅方向の位置も定まるので、両者が嵌合された時に圧着機構を操作すれば取付けが完了するから、大型のスキージであっても簡単に取付け並びに取外しができるものである。また、スキージ受部材へスキージ保持部材を嵌合させた時に手を離してもスキージが落下することがないから、スキージが大型になってもスキージ取付け作業が一人で行えることの利点がある。
【発明を実施するための最良の形態】
【０００８】
図１，２は本発明のスキージホルダーを装着するスクリーン印刷機を示しており、スキージヘッド部１とスクレーパ部２が一対で設けられている。装置は四隅部に設けた縦柱杆３を連結した横柱杆４を有しており、該横柱杆４に沿って設けたガイドレール横管５に移動可能な移動架台６が設けられている。移動架台６は、上記横柱杆４内に設けられた移動機構７と連結されており、スキージヘッド部１が当該移動架台６に着脱自在に取付けられるものである。また、移動架台６には、駆動モータ８によって回転駆動されるボールねじ軸９が設けられ、該ボールねじ軸９にボールねじ構造を内蔵した昇降部材１０が設けられており、さらに該昇降部材１０にスキージヘッド部１が着脱自在に取付けられるものである。なお、スキージヘッド部１はスキージ１１を有している。
【０００９】
スキージヘッド部１には、スキージヘッドの主横杆１２に設けた流体シリンダ１３と該流体シリンダ１３のロッド部と結合した連結部材１４を備えており、当該連結部材１４にスキージスキージ受部材２０と該スキージスキージ受部材２０に着脱自在なスキージ保持部材３０が設けられている。なお、後述するスキージスキージ受部材２０が有するホルダプレート２１は装着するスキージ１１の長さと同じ長さを有している。
【００１０】
この他、図１において、上記各縦柱杆３の内側に版枠支持装置１５が設けられ、該版枠支持装置１５を連結した横連結杆１６に版枠１７がクランプ機構を介して着脱自在に取付けられている。
【００１１】
図３において、スキージ受部材２０のホルダプレート２１には、長さ方向に沿って断面形状が上向きとなる上向谷部２２が設けられている。また、該ホルダプレート２１には、これと一体に形成した天板２３が形成されており、該天板２３にクランプ用流体シリンダ２４が設けられている。なお、クランプ用流体シリンダ２４はスキージ受部材２０にスキージ保持部材３０を装着した時の圧着機構となるものであって、ロッドに設けたクランプヘッド２５が天板２３の透孔２６を通り上向谷部２２に向かって作用する。また、スキージ保持部材３０は、スキージ保持板３１とスキージ挟持板３２を有しており、スキージ１１は、当該スキージ保持板３１とスキージ挟持板３２の間に挟持され止めネジ３３によって固定されている。３４はスキージ保持板３１に形成した下向突部であり、上記ホルダプレート２１に設けた上向谷部２２と対応して結合されるものである。
【００１２】
実施形態において、スキージ受部材２０とスキージ保持部材３０の圧着機構となるクランプ用流体シリンダ２４は、図２を参照して、ホルダプレート２１に沿って複数設けられるものであり、また、上向谷部２２と下向突部３４は対の状態に形成されればよいので、ホルダプレート２１に突部を形成し、スキージ保持板３１に谷部を形成した構成であってもよい。また、実施形態で両者は先端をナイフ状の鋭角形状に形成しているが、これらは隙間なく密着させるためであって、密着状態が確保できれば断面形状は円弧状であってもよい。因みに、実施形態では上向谷部２２及び下向突部３４の角度はいずれも４５°であるが角度の度数は任意である。
【００１３】
実施形態は上記の構成であって、スキージ受部材２０のクランプ用流体シリンダ２４のクランプヘッド２５を後退してクランプ状態を解除し、スキージ保持部材３０を上方に持ち上げて上向谷部２２と下向突部３４の嵌合を外す（図３Ａ）。次いで、止めネジ３３を緩めてスキージ保持板３１とスキージ挟持板３２の間に挟持されていたスキージ１１を交換し再び止めネジ３３を締付けてスキージ１１を固定する。
【００１４】
次に、前記と逆の手順によりスキージ保持部材３０をスキージ受部材２０に装着する。すなわち、スキージ保持部材３０の下向突部３４をスキージ受部材２０の上向谷部２２に装着し、クランプ用流体シリンダ２４を作動してクランプヘッド２５を前進させてスキージ１１を固定する（図３Ｂ）。
【産業上の利用可能性】
【００１５】
本発明は、スキージの取付け及び取外しが所謂ワンタッチで行えるので、特に長尺のスキージであっても簡単にかつ安全に装着作業ができるものであり、スキージが大型の印刷機に有効なものとなる。
【図面の簡単な説明】
【００１６】
【図１】スクリーン印刷機を示す平面図。
【図２】スキージヘッド部を示す正面図。
【図３】スキージホルダーを示しており、Ａはスキージ受部材とスキージ保持部材を分離した側面図、Ｂは両者を結合した断面図。
【符号の説明】
【００１７】
１  スキージヘッド部
２  スクレーパ部
３  縦柱杆
４  横柱杆
５  ガイドレール横管
６  移動架台
７  移動機構
８  駆動モータ
９  ボールねじ軸
１０  昇降部材
１１  スキージ
１２  スキージヘッドの主横杆
１３  流体シリンダ
１４  連結部材
１５  版枠支持装置
１６  横連結杆
１７  版枠
２０  スキージ受部材
２１  ホルダプレート
２２  上向谷部
２３  天板
２４  クランプ用流体シリンダ
２５  クランプヘッド
２６  透孔
３０  スキージ保持部材
３１  スキージ保持板
３２  スキージ挟持板
３３  止めネジ
３４  下向突部
【図１】
2005153444.tif 000003
【図２】
2005153444.tif 000004
【図３】
2005153444.tif 000005